(57)【要約】      （修正有）【課題】使用現場では素早く所定長さに伸張させて固定することができ、携帯とか収納に際してはコンパクトになるようにしたポール部分を開発する。【解決手段】ポール部分を、ホールポストの上円部の中心に具えた支持板上に着脱自在に立設される下段のポール３ａと、下段のポール内に伸縮自在に嵌合する中段のポール３ｂと、中段のポール内に伸縮自在に嵌合する上段のポール３ｃとの３部材で構成し、各段のポールの両側面または片側側面に、円周方向で同一の角度位置に形成され、軸線方向に沿って互いに嵌合し合う伸縮ガイド用の凹凸溝６を設け、中段のポールと上段のポールの下端部に、ポール内に具えたばねに付勢されて、凹凸溝のないポールの他側面に開口する孔８から頭部７ａを弾性的に臨出させたストッパー７を設け、下段のポールと中段のポールの上端部には、ポールの伸張時に、ストッパーの頭部を嵌合してポール部分の伸張長さを固定する掛止孔９を設けた。【選択図】図２
0003113912.tif 000002
【実用新案登録請求の範囲】
【請求項１】
グラウンドゴルフ用ホールポストのポール部分において、ポール部分を、ホールポストの上円部の中心に具えた支持板上に着脱自在に立設される下段のポールと、下段のポール内に伸縮自在に嵌合する中段のポールと、中段のポール内に伸縮自在に嵌合する上段のポールとの３部材で構成し、各段のポールの両側面または片側側面に、円周方向で同一の角度位置に形成され、軸線方向に沿って互いに嵌合し合う伸縮ガイド用の凹凸溝をそれぞれ設け、中段のポールと上段のポールの下端部に、ポール内に具えたばねに付勢されて、上記伸縮ガイド用の凹凸溝のないポールの側面の孔から頭部を弾性的に臨出させたストッパーをそれぞれ設け、下段のポールと中段のポールの上端部には、ポール部分の伸張時に、上記ストッパーの頭部を嵌合してポール部分の伸張長さを固定する掛止孔をそれぞれ設けたことを特徴とするホールポストのポール部分。
【請求項２】
前記伸縮ガイド用の凹凸溝は、横断面を三角形に形成されていて内外で互いに嵌合し合うように具えられていること、前記ポール内に具えたばねは、それぞれのポールの下端面に底部を近接させて、ポール内でＶ字形またはＵ字形に屈曲されている板ばねであること、
上記のように構成されていることを特徴とする請求項１記載のグラウンドゴルフ用ホールポストのポール部分。
【考案の詳細な説明】
【技術分野】
【０００１】
本考案は、運動場、河川敷、公園とか広場等で行なわれるグラウンドゴルフのホールポストの上に立てるポール部分の改良に関し、ポール部分を伸縮自在の３段に形成し、使用時には、手動で伸張させたポールを自動的に所定の長さに固定し、非使用時には、２段目、３段目のポールを１段目のポール内に収納できるようにしたことを特長とする。
【背景技術】
【０００２】
グラウンドゴルフ用のホールポストに関しては、例えば、特許文献１〜３がある。
特許文献１は、主として、上下２段のリングを具えたホールポストとポール部分との連結構造とホールポスト内に備える鈴とに関し、特許文献２は、ホールポストに対する鈴の着脱構造に関し、特許文献３は、主として、ポール部分とホールポストと鈴との連結構造に関するものであった。
【０００３】
【特許文献１】特開平１１−１５１３３３号公報（第１頁、図１参照）
【特許文献２】登録実用新案第３０９６０２６号公報（第１頁、図１参照）
【特許文献３】登録実用新案第３０９６０２７号公報（第１頁、第１図参照）
【考案の開示】
【考案が解決しようとする課題】
【０００４】
上記各特許文献は、上述のように、何れもポール部分とホールポストと鈴との関連についてなされたものであって、ポール部分自体をどのように改良するかについては触れられていない。
ところで、ポール部分は、グラウンドゴルフの公式競技では、ホールポストの上面に具えた支持板から上に、１．４メートルの高さを有することが規定されている。
比較的に長尺のポールを使用するこの種のポールは、従来より、収納するときとか運搬の便を考えて２段のものとか３段のものとかが市販されているが、継目の部分の固定構造にそれぞれ問題があって、ポール部分を使用現場で素早く規定の長さに伸張することができ、かつ、携帯とか収納に際しては、コンパクトになるようにすることが望まれているのが現状である。
【０００５】
以上のことから、本考案の目的は、使用現場では素早く所定長さに伸張させて固定することができ、携帯とか収納に際してはコンパクトになるようにしたポール部分を開発することにある。
【課題を解決するための手段】
【０００６】
そこで本考案は、上記の課題を解決するために、グラウンドゴルフ用ホールポストのポール部分において、ポール部分を、ホールポストの上円部の中心に具えた支持板上に着脱自在に立設される下段のポールと、下段のポール内に伸縮自在に嵌合する中段のポールと、中段のポール内に伸縮自在に嵌合する上段のポールとの３部材で構成し、各段のポールの両側面または片側側面に、円周方向で同一の角度位置に形成され、軸線方向に沿って互いに嵌合し合う伸縮ガイド用の凹凸溝をそれぞれ設け、中段のポールと上段のポールの下端部に、ポール内に具えたばねに付勢されて、上記伸縮ガイド用の凹凸溝のないポールの側面の孔から頭部を弾性的に臨出させたストッパーをそれぞれ設け、下段のポールと中段のポールの上端部には、ポール部分の伸張時に、上記ストッパーの頭部を嵌合してポール部分の伸張長さを固定する掛止孔をそれぞれ設けたことを特徴とするホールポストのポール部分を提供するものである。
【０００７】
本考案第２項の考案は、各段のポールの側面に具える伸縮ガイド用の凹凸溝を、横断面を三角形に形成して内外で互いに嵌合し合うように具えたこと、また、２段目、３段目のポール内に具えるばねは、それぞれのポールの下端面に底部を近接させて、ポール内でＶ字形またはＵ字形に屈曲されている板ばねであることを特徴とするもので、ポール部分の伸縮動作が、よりいっそうスムーズになり、製造を容易にするとともに、伸張時のポールの長さの固定が安定する。
【考案の効果】
【０００８】
本考案に係るポール部分は、下段のポールの上端から中段のポールを、中段のポールの上端から上段のポールをそれぞれ引きだして伸張する場合に、各段毎にその伸張が円周方向で同一の角度位置に形成されている伸縮ガイド用の凹凸溝に誘導されるので、円周方向に回転することなく、各段のポールを直線的に伸張することができる。
そして、各段のポールの伸張が一定長さに達すると自動的に前段のポールの掛止孔に次段のポールのストッパーの頭部が嵌入してストップが掛り、ポール部分の伸張時の長さが所定長さに一定する。
次いで収納時には、下段のポールの掛止孔内にストッパーの頭部を押し込みつつ上段のポールを順次押し下げることによって、下段のポール内に上段と中段のポールを収容させたコンパクトで携行の容易な収納ができる。
以上のようにして本考案は前記の課題を解決したものである。
【考案を実施するための最良の形態】
【０００９】
グラウンドゴルフ用ホールポストのポール部分において、ポール部分を、ホールポストの上円部の中心に具えた支持板上に着脱自在に立設される下段のポールと、下段のポール内に伸縮自在に嵌合する中段のポールと、中段のポール内に伸縮自在に嵌合する上段のポールとの３部材で構成する。
各段のポールの両側面または片側側面に、円周方向で同一の角度位置に形成され、軸線方向に沿って互いに嵌合し合う伸縮ガイド用の凹凸溝をそれぞれ設ける。
中段のポールと上段のポールの下端部に、ポール内に具えたばねに付勢されて、上記伸縮ガイド用の凹凸溝のないポールの側面の孔から頭部を弾性的に臨出させたストッパーをそれぞれ設ける。
下段のポールと中段のポールの上端部には、ポール部分の伸張時に、上記ストッパーの頭部を自動的に嵌合してポール部分の伸張長さを固定する掛止孔をそれぞれ設ける。
伸縮ガイド用の凹凸溝は、横断面を三角形に形成して内外で互いに嵌合し合うように具える。
ポール内に具えるばねは、それぞれのポールの下端面に底部を近接させて、ポール内でＶ字形またはＵ字形に屈曲されているようにした板ばねを用いる。
以上の構成を備えたホールポストのポール部分。
【実施例】
【００１０】
図面に示す実施例は、 ポール部分の素材にアルミ製の丸パイプを使用して継目を３段に形成した場合のもので、以下に本考案をこの実施例について説明する。
図１は、実施例を使用状態とともに示す斜視図、図２は、実施例の一部切欠分解斜視図、図３は、実施例の拡大横断平面図である。
【００１１】
図において、１は、競技地面に設置されるホールポスト、２は、ホールポスト１の上円部１ａの中心に具えた支持板、３は、支持板上に着脱自在に立設される ポール部分、４は、ポール部分３の上端に取り付けられて、ホール番号を表示した旗である。
【００１２】
ホールポスト１は、図１に示すように接地面を形成する底円部１ｂと、支持板２を具えた上円部１ａを有し、支持板２上に具えたボルト部５を介してポール部分３を着脱自在に連結する。
ポール部分３は、図１、２に示すように、ボルト部５に螺合するナット部１１を下端部に具えた下段のポール３ａと、下段のポール３ａ内に伸縮自在に嵌合する中段のポール３ｂと、中段のポール３ｂ内に伸縮自在に嵌合する上段のポール３ｂとの３部材で構成されている。
【００１３】
各段のポール３ａ、３ｂ、３ｃは、図２に示すように、側面の長さ方向に沿って直径方向に対設した伸縮ガイド用の凹凸溝６を有する。また、各凹凸溝６は、図３に拡大して示すように、横断面を三角形に形成されて内外で互いに嵌合し合うように具えられている。
７は、図２に示すように、中段のポール３ｂと上段のポール３ｃの下端部に備えられて、ポール内に具えたばね７ａと、このばね７ａに付勢されて、図３に示すように、上記伸縮ガイド用の凹凸溝６のないポールの他側面の孔８から弾性的に臨出する頭部７ｂとからなるストッパーで、ばね７ａは、図２に示すように、ほぼＶ字形ないしはU字形に屈曲させた底部を上記ポールの下端部に近接させてポール内に嵌装されている。
【００１４】
図中、９は、下段のポール３ａと中段のポール３ｂの上端部の側面にそれぞれ設けられて、各ポールの伸張時に、上記ストッパー７の頭部７ｂを自動的に嵌合してポール部分３の伸張長さを所定の長さに固定する掛止孔である。
上記ストッパー７の頭部７ｂをそれぞれ臨出させる中段のポール３ｂの下端部と上段のポール３ｃの下端部の孔８と、下段のポール３ａと中段のポール３ｂの上端部にそれぞれ設ける掛止孔９との上下にはそれぞれ各段のポールの継目に適宜の嵌め合い深さが形成されるように備えられていることは言うまでもない。
【００１５】
なお、図２中、１０は、支持板２上に具えたボルト部５と螺合する前記ナット部１１を中心に具えて、下段のポール３ａの下端部内に密に嵌合して側面からかしめ付けられる接続金具、１２は、上段のポールの上端に嵌着されるゴム製のキャップである。
【００１６】
次ぎに、以上のように構成したポール部分３の使用の一例について説明すると、
ナット部１１をボルト部５に螺合してホールポスト１の支持板２の上に下段のポール３ａを起立させ、上端から中段のポール３ｂと上段のポール３ｃを引き出すと、各段のポール３ｂ、３ｃは、回転することなく伸縮ガイド用の凹凸溝６に沿って直線的に引き出され、伸縮ガイド用の凹凸溝６のない他側面ではストッパー７の頭部７ｂと掛止孔９とが所定位置でそれぞれ自動的に嵌合して、伸張したポール部分３を所定長さに固定する。
ポール部分３の使用後には、掛止孔９に弾性的に係合しているストッパー７の頭部７ｂをそれぞれのポール内に押し込めば、中段のポール３ｂと上段のポール３ｃを下段のポール３ａ内に収納でき、ボルト・ナットの螺合を解除することによって、ポール部分３が短尺でコンパクトになって携行し易くなる。
【産業上の利用可能性】
【００１７】
本考案において、上中下の各段のポールの側面に具える伸縮ガイド用の凹凸溝は、実施例では両側に設けているが、本考案の実施に際しては片側のみに設ける場合もある。また、各段のポールの開口部の内面には、伸縮ガイド用の各凹凸溝のスライドを妨げないようにして、樹脂等で薄く形成した図示省略のシール材を貼り付けると、伸張状態のポール部分を強固に振れ止めできる。
また、ポール部分の継目を４段または２段に増減することとか、ストッパーの形態を変えたり、上記凹凸溝の断面形状およびその他各部の形状と構造などを変更することは、本考案の要旨に沿って適宜に選択できる設計変更の範囲に属する。さらに、本考案に係るポール部分は、公式競技用に限らず、非公式の簡易ポールにも採用できる。
【図面の簡単な説明】
【００１８】
【図１】図１は実施例をその使用状態とともに示す斜視図である。
【図２】図２は実施例の一部切欠分解斜視図である。
【図３】図３は実施例の拡大横断平面図である。
【符号の説明】
【００１９】
１  ホールポスト  （１ａ  上円部、１ｂ  底円部）
２  支持板
３  ポール部分  （３ａ  下段、３ｂ  中段、３ｃ  上段）
４  旗
５  ボルト部
６  伸縮ガイド用の凹凸溝
７  ストッパー  （７ａ  板ばね、７ｂ  頭部）
８  孔
９  掛止孔
１０  接続金具
１１  ナット部
１２  キャップ
【図１】
0003113912.tif 000003
【図２】
0003113912.tif 000004
【図３】
0003113912.tif 000005